(57)【要約】【課題】非共沸混合冷媒を用いる空気調和装置の室内ユニットにおいて、吹出口から吹き出される空気お温度ムラを低減する。【解決手段】天井埋込設置型の室内ユニット（30）では、室内ファン（47）の周囲を囲むように４つの室内熱交換器（50,60,…）が設けられる。各室内熱交換器（50,60,…）では、その下部に液側ヘッダ（51,61,…）が、その上部にガス側ヘッダ（52,62,…）がそれぞれ設けられている。各室内熱交換器（50,60,…）では、液側ヘッダ（51,61,…）とガス側ヘッダ（52,62,…）の一方から他方へ向かって上下方向に冷媒が流通する。室内ユニット（30）の下面を形成する化粧パネル（34）には、長方形状の吹出口（36）が形成されている。室内熱交換器（50,60,…）は吹出口（36）に沿って配置されており、室内熱交換器（50,60,…）での冷媒の流通方向が吹出口（36）の長手方向と概ね直交する。【選択図】図２
2008256305.tif 000002
【特許請求の範囲】
【請求項１】
吸込口（35）と吹出口（36）と該吸込口（35）から該吹出口（36）へ向かって空気が流れる空気通路（33）とが形成されたケーシング（31）と、
上記空気通路（33）に配置されて空気と冷媒を熱交換させる空気熱交換器（50,55,60,65）とを備え、
非共沸混合冷媒が循環する冷媒回路（15）に上記空気熱交換器（50,55,60,65）が接続される空気調和装置の室内ユニットであって、
上記吹出口（36）は、細長い形状に形成される一方、
上記空気熱交換器（50,55,60,65）では、冷媒を空気と熱交換させながら流すための複数の冷媒流通路（53）が互いに平行に配置され、
上記空気熱交換器（50,55,60,65）は、上記冷媒流通路（53）の伸長方向が上記吹出口（36）の長手方向と直交する姿勢で設置されている
ことを特徴とする空気調和装置の室内ユニット。
【請求項２】
吸込口（35）と吹出口（36）と該吸込口（35）から該吹出口（36）へ向かって空気が流れる空気通路（33）とが形成されたケーシング（31）と、
上記空気通路（33）に配置されて空気と冷媒を熱交換させる空気熱交換器（50,55,60,65）とを備え、
非共沸混合冷媒が循環する冷媒回路（15）に上記空気熱交換器（50,55,60,65）が接続される空気調和装置の室内ユニットであって、
上記吹出口（36）は、細長い形状に形成される一方、
上記空気熱交換器（50,55,60,65）には、冷媒を空気と熱交換させながら流すための冷媒流通路（53）が、該空気熱交換器（50,55,60,65）の温度が上記吹出口（36）の長手方向と直交する方向に沿って変化するように形成されている
ことを特徴とする空気調和装置の室内ユニット。
【請求項３】
請求項２において、
上記空気熱交換器（50,55,60,65）では、複数の冷媒流通路（53）が互いに並列に設けられている
ことを特徴とする空気調和装置の室内ユニット。
【請求項４】
請求項１又は２において、
上記空気熱交換器（50,55,60,65）は、上記冷媒流通路（53）の液側の端部がそのガス側の端部に比べて空気の流速が遅い位置となるように配置されている
ことを特徴とする空気調和装置の室内ユニット。
【請求項５】
請求項１又は３において、
上記空気熱交換器（50,55,60,65）が蒸発器となる冷房運転を実行可能に構成され、
冷房運転中に供給された冷媒を液冷媒とガス冷媒に分離して液冷媒を上記空気熱交換器（50,55,60,65）へ供給する気液分離器（70,75,80,85）を備えている
ことを特徴とする空気調和装置の室内ユニット。
【請求項６】
請求項５において、
冷房運転時に上記気液分離器（70,75,80,85）のガス冷媒を上記空気熱交換器（50,55,60,65）の下流側へ供給するバイパス通路（91,92,93,94）を備えている
ことを特徴とする空気調和装置の室内ユニット。
【請求項７】
請求項６において、
上記空気熱交換器（50,55,60,65）が凝縮器となる暖房運転を実行可能に構成され、
上記バイパス通路（91,92,93,94）には、該バイパス通路（91,92,93,94）における冷媒の流通を冷房運転時に許容して暖房運転時に阻止する流通規制機構（96,97,98,99）が設けられている
ことを特徴とする空気調和装置の室内ユニット。
【発明の詳細な説明】
【技術分野】
【０００１】
本発明は、非共沸混合冷媒を用いた空気調和装置の室内ユニットに関するものである。
【背景技術】
【０００２】
空気調和装置の室内ユニットとしては、例えば特許文献１に開示されているような天井設置型のものが知られている。この特許文献１に開示された室内ユニットでは、平面視でロ字状に形成された熱交換器がターボファンの周囲を囲むように配置されている。熱交換器を通過する際に冷却され又は加熱された空気は、熱交換器の四辺に沿って延びる吹出口から吹き出される。この室内ユニットの熱交換器では、吹出口の長手方向に沿った方向へ冷媒が流通する。
【０００３】
特許文献２には、非共沸混合冷媒が充填された冷媒回路を備えた空気調和装置が開示されている。この空気調和装置において、室内ユニットの熱交換器では、非共沸混合冷媒が空気と熱交換して蒸発し又は凝縮する。
【特許文献１】特開２００５−２４１２４３号公報
【特許文献２】特開平０８−１３６０６８号公報
【発明の開示】
【発明が解決しようとする課題】
【０００４】
ところで、非共沸混合冷媒には、気液平衡状態であって圧力が一定であっても、湿り度の変化に伴って温度が変化するという特性がある。具体的には、冷媒が蒸発する過程で湿り度が次第に低下してゆく場合、冷媒の温度は次第に上昇してゆく。一方、冷媒が凝縮する過程で湿り度が次第に上昇してゆく場合、冷媒の温度は次第に低下してゆく。これは、湿り度が高くなるにつれて液冷媒中の低沸点成分の割合が増えるからである。
【０００５】
上記特許文献１に開示されているような室内ユニット、即ち、熱交換器での冷媒の流通方向が吹出口の長手方向に沿っている室内ユニットを、非共沸混合冷媒を用いる空気調和機に適用すると、吹出口から吹き出される空気に温度ムラが生じるという問題がある。
【０００６】
具体的に、室内ユニットの熱交換器が蒸発器となる冷房運転時において、熱交換器の温度は、冷媒の入口に近い部分ほど低く、冷媒の入口から離れるに従って上昇する。このため、吹出口から吹き出される空気の温度も、熱交換器における冷媒の入口に近い部分ほど低く、冷媒の入口から離れるに従って上昇する。また、室内ユニットの熱交換器が凝縮器となる暖房運転時において、熱交換器の温度は、冷媒の入口に近い部分ほど高く、冷媒の入口から離れるに従って低下する。このため、吹出口から吹き出される空気の温度も、熱交換器における冷媒の入口に近い部分ほど高く、冷媒の入口から離れるに従って低下する。
【０００７】
このように室内ユニットの吹出口から吹き出される空気に温度ムラが生じると、在室者が不快感を感じる場合があり、室内の快適性を損なうおそれがあった。
【０００８】
本発明は、かかる点に鑑みてなされたものであり、その目的は、非共沸混合冷媒を用いる空気調和装置の室内ユニットにおいて、吹出口から吹き出される空気の温度ムラを低減することにある。
【課題を解決するための手段】
【０００９】
第１の発明は、吸込口（35）と吹出口（36）と該吸込口（35）から該吹出口（36）へ向かって空気が流れる空気通路（33）とが形成されたケーシング（31）と、上記空気通路（33）に配置されて空気と冷媒を熱交換させる空気熱交換器（50,55,60,65）とを備え、非共沸混合冷媒が循環する冷媒回路（15）に上記空気熱交換器（50,55,60,65）が接続される空気調和装置の室内ユニットを対象としている。そして、上記吹出口（36）は、細長い形状に形成される一方、上記空気熱交換器（50,55,60,65）では、冷媒を空気と熱交換させながら流すための複数の冷媒流通路（53）が互いに平行に配置され、上記空気熱交換器（50,55,60,65）は、上記冷媒流通路（53）の伸長方向が上記吹出口（36）の長手方向と直交する姿勢で設置されるものである。
【００１０】
第１の発明では、ケーシング（31）内の空気通路（33）に空気熱交換器（50,55,60,65）が設置される。吸込口（35）から空気通路（33）へ流入した空気は、空気熱交換器（50,55,60,65）を通過する際に冷媒と熱交換し、その後に吹出口（36）から吹き出される。空気熱交換器（50,55,60,65）では、冷媒回路（15）を循環する冷媒が、複数の冷媒流通路（53）へ分配される。各冷媒流通路（53）では、冷媒が空気と熱交換して蒸発し又は凝縮する。この発明の冷媒は非共沸混合冷媒であるため、冷媒流通路（53）では、その上流から下流へ向かって冷媒の温度が次第に変化する。空気熱交換器（50,55,60,65）では、各冷媒流通路（53）における冷媒の流れ方向が吹出口（36）の長手方向と直交するように設定されると共に、複数の冷媒流通路（53）が互いに平行に配置されている。このため、吹出口（36）を通過する空気の温度は、吹出口（36）の長手方向においてほぼ一定となる。
【００１１】
第２の発明は、吸込口（35）と吹出口（36）と該吸込口（35）から該吹出口（36）へ向かって空気が流れる空気通路（33）とが形成されたケーシング（31）と、上記空気通路（33）に配置されて空気と冷媒を熱交換させる空気熱交換器（50,55,60,65）とを備え、非共沸混合冷媒が循環する冷媒回路（15）に上記空気熱交換器（50,55,60,65）が接続される空気調和装置の室内ユニットを対象としている。そして、上記吹出口（36）は、細長い形状に形成される一方、上記空気熱交換器（50,55,60,65）には、冷媒を空気と熱交換させながら流すための冷媒流通路（53）が、該空気熱交換器（50,55,60,65）の温度が上記吹出口（36）の長手方向と直交する方向に沿って変化するように形成されるものである。
【００１２】
第２の発明では、ケーシング（31）内の空気通路（33）に空気熱交換器（50,55,60,65）が設置される。吸込口（35）から空気通路（33）へ流入した空気は、空気熱交換器（50,55,60,65）を通過する際に冷媒と熱交換し、その後に吹出口（36）から吹き出される。空気熱交換器（50,55,60,65）では、冷媒回路（15）を循環する冷媒が冷媒流通路（53）へ流入し、空気と熱交換して蒸発し又は凝縮する。この発明の冷媒は非共沸混合冷媒であるため、冷媒流通路（53）を流れる間に冷媒の温度が次第に変化する。このため、空気熱交換器（50,55,60,65）の温度は、その部分によって相違する。この発明において、空気熱交換器（50,55,60,65）の温度は、吹出口（36）の長手方向と直交する方向に沿って変化する。このため、吹出口（36）を通過する空気の温度は、吹出口（36）の長手方向においてほぼ一定となる。
【００１３】
第３の発明は、上記第２の発明において、上記空気熱交換器（50,55,60,65）では、複数の冷媒流通路（53）が互いに並列に設けられるものである。
【００１４】
第３の発明において、空気熱交換器（50,55,60,65）へ供給された冷媒は、複数の冷媒流通路（53）へ分配され、冷媒流通路（53）を通過後に合流する。
【００１５】
第４の発明は、上記第１又は第２の発明において、上記空気熱交換器（50,55,60,65）は、上記冷媒流通路（53）の液側の端部がそのガス側の端部に比べて空気の流速が遅い位置となるように配置されるものである。
【００１６】
第４の発明において、空気熱交換器（50,55,60,65）が蒸発器となる場合、冷媒流通路（53）では、液側の端部からガス側の端部へ向かって冷媒が流れる。冷媒が非共沸混合冷媒である場合、冷媒流通路（53）では、液側の端部に近い部分ほど冷媒の温度が低くなる。このため、蒸発器となっている空気熱交換器（50,55,60,65）で発生するドレン水の量は、冷媒流通路（53）のガス側の端部付近に比べてその液側の端部付近の方が多くなる。この発明において、空気熱交換器（50,55,60,65）を通過する空気の流速は、冷媒流通路（53）のガス側の端部付近に比べてその液側の端部付近の方が遅くなっている。つまり、蒸発器となっている空気熱交換器（50,55,60,65）のうちドレン水の発生量が多くなる部分では、そこを通過する空気の流速が比較的遅くなる。
【００１７】
第５の発明は、上記第１又は第３の発明において、上記空気熱交換器（50,55,60,65）が蒸発器となる冷房運転を実行可能に構成され、冷房運転中に供給された冷媒を液冷媒とガス冷媒に分離して液冷媒を上記空気熱交換器（50,55,60,65）へ供給する気液分離器（70,75,80,85）を備えるものである。
【００１８】
第５の発明において、冷房運転時に室内ユニット（30）へ供給された冷媒は、先ず気液分離器（70,75,80,85）に流入する。気液分離器（70,75,80,85）は、流入した冷媒を液冷媒とガス冷媒に分離し、液冷媒を空気熱交換器（50,55,60,65）へ供給する。気液分離器（70,75,80,85）から供給された液冷媒は、複数の冷媒流通路（53）へ分配される。冷媒流通路（53）に流入した冷媒は、空気から吸熱して蒸発し、その後に冷媒流通路（53）から流出する。
【００１９】
第６の発明は、上記第５の発明において、冷房運転時に上記気液分離器（70,75,80,85）のガス冷媒を上記空気熱交換器（50,55,60,65）の下流側へ供給するバイパス通路（91,92,93,94）を備えるものである。
【００２０】
第６の発明では、気液分離器（70,75,80,85）のガス冷媒がバイパス通路（91,92,93,94）へ流入する。バイパス通路（91,92,93,94）へ流入したガス冷媒は、冷房運転時における空気熱交換器（50,55,60,65）の下流側へ送られ、空気熱交換器（50,55,60,65）で蒸発した冷媒と合流する。
【００２１】
第７の発明は、上記第６の発明において、上記空気熱交換器（50,55,60,65）が凝縮器となる暖房運転を実行可能に構成され、上記バイパス通路（91,92,93,94）には、該バイパス通路（91,92,93,94）における冷媒の流通を冷房運転時に許容して暖房運転時に阻止する流通規制機構（96,97,98,99）が設けられるものである。
【００２２】
第７の発明において、空気熱交換器（50,55,60,65）の冷媒流通路（53）における冷媒の流れ方向は、冷房運転時と暖房運転時とで逆向きとなる。暖房運転時には、流通規制機構（96,97,98,99）がバイパス通路（91,92,93,94）での冷媒の流通を阻止する。このため、暖房運転時に室内ユニット（30）へ供給された冷媒は、バイパス通路（91,92,93,94）へは流入せずに全てが空気熱交換器（50,55,60,65）の冷媒流通路（53）へ流入する。
【発明の効果】
【００２３】
本発明によれば、空気熱交換器（50,55,60,65）における冷媒の流通方向を適切に設定することによって、吹出口（36）の長手方向における吹き出し空気の温度を平均化することができる。確かに、本発明において、吹出口（36）の短手方向には、吹き出し空気の温度ムラが多少残る可能性がある。しかしながら、吹出口（36）は細長い形状となっており、吹出口（36）の短手方向の一端付近を通過した空気と他端付近を通過した空気とは、吹出口（36）に至るまで、あるいは吹出口（36）を通過する際に混ざり合うため、吹出口（36）の短手方向における吹き出し空気の温度ムラに在室者が気付くことは無い。従って、本発明によれば、冷媒として非共沸混合冷媒を用いる場合であっても、吹出口（36）の長手方向における吹き出し空気の温度ムラを抑えることができ、室内の快適性を確保することができる。
【００２４】
上記第４の発明では、蒸発器となっている空気熱交換器（50,55,60,65）のうちドレン水の発生量が多くなる部分では、そこを通過する空気の流速が比較的遅くなる。このため、空気熱交換器（50,55,60,65）で発生したドレン水が空気熱交換器（50,55,60,65）を通過する空気と共に飛散する現象（いわゆる水飛び現象）を抑えることができ、その水飛び現象による快適性の低下を防ぐことができる。
【００２５】
上記第５〜第７の発明では、冷房運転時に室内ユニット（30）へ供給された冷媒を気液分離器（70,75,80,85）で液冷媒とガス冷媒に分離し、液冷媒だけを空気熱交換器（50,55,60,65）へ供給している。その結果、空気熱交換器（50,55,60,65）において複数の冷媒流通路（53）へ分配される冷媒は、液単相状態となる。このため、これらの発明によれば、複数の冷媒流通路（53）へ気液二相状態の冷媒を分配する場合に比べ、各冷媒流通路（53）へ流入する冷媒の流量を平均化することができ、空気熱交換器（50,55,60,65）の性能を充分に発揮させることができる。
【００２６】
また、上記第６の発明では、気液分離器（70,75,80,85）のガス冷媒がバイパス通路（91,92,93,94）を通って空気熱交換器（50,55,60,65）の下流側へ送られる。このため、気液分離器（70,75,80,85）からガス冷媒を確実に排出でき、気液分離器（70,75,80,85）における液冷媒とガス冷媒の分離を確実に行うことが可能となる。
【００２７】
また、上記第７の発明では、暖房運転時に室内ユニット（30）へ供給された冷媒の全てが空気熱交換器（50,55,60,65）へ流入する。このため、室内ユニット（30）における暖房能力が確保される。
【発明を実施するための最良の形態】
【００２８】
以下、本発明の実施形態を図面に基づいて詳細に説明する。
【００２９】
《発明の実施形態１》
本発明の実施形態１について説明する。本実施形態は、空気調和装置（10）の室内ユニット（30）である。
【００３０】
図１，図２に示すように、本実施形態の室内ユニット（30）は、天井埋込設置型に構成されている。この室内ユニット（30）は、ケーシング本体（32）と化粧パネル（34）とで構成されたケーシング（31）を備えている。ケーシング本体（32）は、下面が開口した箱状に形成されている。化粧パネル（34）は、ケーシング本体（32）の下面よりも一回り大きい矩形に形成され、ケーシング本体（32）の下面を覆うように設けられる。室内ユニット（30）は、化粧パネル（34）が室内に露出する状態で設置される。
【００３１】
化粧パネル（34）には、１つの吸込口（35）と、４つの吹出口（36）とが形成されている。吸込口（35）は、概ね正方形状に形成され、化粧パネル（34）の中央部に開口している。吹出口（36）は、細長い長方形状に形成され、吸込口（35）の外側に、吸込口（35）の各辺に沿って１つずつ開口している。また、化粧パネル（34）には、吸込口（35）を覆うようにエアフィルタ（45）が設けられている。エアフィルタ（45）は、吸込口（35）を通過した空気から塵埃等を除去するためのものである。
【００３２】
ケーシング本体（32）には、室内回路（40）が収容されている。室内回路（40）には、１つの気液分離器（70）と、４つの室内熱交換器（50,55,60,65）とが接続されている。この室内回路（40）については、後述する。また、図１〜３では、気液分離器（70）の図示を省略している。
【００３３】
ケーシング本体（32）の内部空間は、吸込口（35）から吹出口（36）へ向かって空気が流れる空気通路（33）となっている。この空気通路（33）には、吸込口（35）側から吹出口（36）側へ向かって順に、ベルマウス（46）と室内ファン（47）と室内熱交換器（50,55,60,65）とが設置されている。
【００３４】
ベルマウス（46）は、エアフィルタ（45）の上方に配置されている。室内ファン（47）は、下方から吸い込んだ空気を周方向へ吹き出すターボファンであって、ケーシング本体（32）の内部空間の中央部に配置されている。この室内ファン（47）は、そのファンモータ（48）がケーシング本体（32）の天板に取り付けられている。
【００３５】
図３に示すように、ケーシング本体（32）の空気通路（33）には、４つの室内熱交換器（50,55,60,65）が収容されている。各室内熱交換器（50,55,60,65）は、概ね長方形の厚板状（あるいは扁平な直方体状）に形成されており、室内ファン（47）の外側に配置されている。ケーシング本体（32）内において、各室内熱交換器（50,55,60,65）は、各吹出口（36）に対応して１つずつ配置されており、それぞれの長手方向が対応する吹出口（36）の長手方向と概ね平行となっている。１つの室内熱交換器（50,55,60,65）を通過した空気は、その室内熱交換器（50,55,60,65）に対応する吹出口（36）から吹き出される。また、ケーシング本体（32）内において、各室内熱交換器（50,55,60,65）は、その前面や背面がケーシング本体（32）の側面と概ね平行となる姿勢で設置されている（図３を参照）。各室内熱交換器（50,55,60,65）の下方には、ドレンパン（49）が設置されている。
【００３６】
図４に示すように、室内熱交換器（50,55,60,65）は、いわゆるパラレルフロー型の熱交換器であって、液側ヘッダ（51,56,61,66）とガス側ヘッダ（52,57,62,67）と伝熱管（53）とフィン（54）とを備えている。この室内熱交換器（50,55,60,65）は、室内空気を冷媒と熱交換させる空気熱交換器である。液側ヘッダ（51,56,61,66）とガス側ヘッダ（52,57,62,67）は、共に両端が閉塞された円管状に形成されている。長方形状に形成された室内熱交換器（50,55,60,65）では、一方の長辺に沿って液側ヘッダ（51,56,61,66）が、他方の長辺に沿ってガス側ヘッダ（52,57,62,67）がそれぞれ配置されている。伝熱管（53）は、その断面形状が扁平な矩形状となっており、冷媒流通路を形成している。室内熱交換器（50,55,60,65）では、多数の伝熱管（53）が、液側ヘッダ（51,56,61,66）及びガス側ヘッダ（52,57,62,67）の長手方向に沿って一定の間隔で配置されている。各伝熱管（53）は、その一端が液側ヘッダ（51,56,61,66）に連通し、その他端がガス側ヘッダ（52,57,62,67）に連通している。フィン（54）は、各伝熱管（53）の間に配置されており、隣接する伝熱管（53）とロウ付け等によって接合されている。各フィン（54）は、伝熱管（53）の配列方向に蛇行する波板状に形成されている。
【００３７】
各室内熱交換器（50,55,60,65）は、液側ヘッダ（51,56,61,66）が下に位置してガス側ヘッダ（52,57,62,67）が上に位置する姿勢で、ケーシング本体（32）内に設置されている。上述したように、各室内熱交換器（50,55,60,65）は、その長手方向が対応する吹出口（36）の長手方向と平行となる姿勢で設置されている。また、各室内熱交換器（50,55,60,65）では伝熱管（53）の伸長方向が上下方向となる一方、化粧パネル（34）では吹出口（36）の長手方向が概ね水平方向となっている。従って、本実施形態の室内ユニット（30）では、室内熱交換器（50,55,60,65）における伝熱管（53）の伸長方向が、それに対応する吹出口（36）の長手方向に対して概ね直交している。
【００３８】
気液分離器（70）と室内回路（40）について、図５を参照しながら説明する。
【００３９】
気液分離器（70）は、縦長で円筒形の密閉容器状に形成された本体容器（71）を備えている。気液分離器（70）には、接続管（72）と液側管（73）とガス側管（74）とが設けられている。接続管（72）は、本体容器（71）の上下方向の中央部を貫通し、本体容器（71）の内部空間に開口している。接続管（72）は、本体容器（71）の下端部を貫通し、本体容器（71）の内部空間に開口している。接続管（72）は、本体容器（71）の上端部を貫通し、本体容器（71）の内部空間に開口している。
【００４０】
室内回路（40）では、４つの室内熱交換器（50,55,60,65）が互いに並列に接続されている。室内回路（40）において、各室内熱交換器（50,55,60,65）の液側ヘッダ（51,56,61,66）は、気液分離器（70）の液側管（73）に接続されている。また、各室内熱交換器（50,55,60,65）のガス側ヘッダ（52,57,62,67）は、１本の集合配管（41）に接続されている。
【００４１】
気液分離器（70）のガス側管（74）は、バイパス管（91）を介して第１室内熱交換器（50）のガス側ヘッダ（52）に接続されている。バイパス管（91）は、バイパス通路を構成している。バイパス管（91）には、逆止弁（96）が設けられている。この逆止弁（96）は、気液分離器（70）から第１室内熱交換器（50）へ向かう冷媒の流通を許容し、逆向きの冷媒の流通を阻止するように設置されており、流通規制機構を構成している。このバイパス管（91）の管径は、気液分離器（70）のガス側管（74）から逆止弁（96）を経て第１室内熱交換器（50）のガス側ヘッダ（52）に至るまでの冷媒の圧力損失が、気液分離器（70）の液側管（73）から第１室内熱交換器（50）の液側ヘッダ（51）と伝熱管（53）を経てガス側ヘッダ（52）に至るまでの冷媒の圧力損失と同程度となるような値に設定されている。
【００４２】
本実施形態の室内ユニット（30）は、液側連絡配管（17）とガス側連絡配管（16）とによって室外ユニット（20）と接続されている。そして、室内ユニット（30）の室内回路（40）と室外ユニット（20）の室外回路（21）を液側連絡配管（17）及びガス側連絡配管（16）で接続することによって、冷媒が循環する冷媒回路（15）が形成される。この冷媒回路（15）には、非共沸混合冷媒であるＲ４０７Ｃが充填されている。
【００４３】
室外回路（21）には、圧縮機（22）と四方切換弁（23）と室外熱交換器（24）と膨張弁（25）とが設けられている。室外回路（21）において、圧縮機（22）は、その吐出側が四方切換弁（23）の第１のポートに接続され、その吸入側が四方切換弁（23）の第２のポートに接続されている。室外熱交換器（24）は、その一端が四方切換弁（23）の第３のポートに接続され、その他端が膨張弁（25）の一端に接続されている。膨張弁（25）の他端は、液側連絡配管（17）を介して室内回路（40）における気液分離器（70）の接続管（72）に接続されている。四方切換弁（23）の第４のポートは、ガス側連絡配管（16）を介して室内回路（40）の集合配管（41）に接続されている。
【００４４】
室外熱交換器（24）は、室外空気を冷媒と熱交換させる。四方切換弁（23）は、第１のポートと第３のポートが連通して第２のポートと第４のポートが連通する第１状態（図５に実線で示す状態）と、第１のポートと第４のポートが連通して第２のポートと第３のポートが連通する第２状態（図５に破線で示す状態）とに切り換わる。
【００４５】
−運転動作−
本実施形態の室内ユニット（30）が設けられた空気調和装置（10）では、冷房運転と暖房運転とが切り換え可能となっている。
【００４６】
〈冷房運転〉
冷房運転時における空気調和装置（10）の動作について、図５を参照しながら説明する。
【００４７】
冷房運転時には、四方切換弁（23）が第１状態（図５に実線で示す状態）に設定され、膨張弁（25）の開度が適宜調節される。この状態で、冷媒回路（15）では冷媒が循環して冷凍サイクルが行われる。
【００４８】
冷媒回路（15）において、圧縮機（22）から吐出された冷媒は、四方切換弁（23）を通って室外熱交換器（24）へ流入し、室外空気へ放熱して凝縮する。室外熱交換器（24）で凝縮した冷媒は、膨張弁（25）を通過する際に減圧されて気液二相状態となり、その後に液側連絡配管（17）を通って気液分離器（70）へ流入する。気液分離器（70）における本体容器（71）の内部空間では、その下部に液冷媒が溜まり、その上部にガス冷媒が溜まる。
【００４９】
本体容器（71）の下部に溜まった液冷媒は、液側管（73）を通って本体容器（71）から流出し、その後に各室内熱交換器（50,55,60,65）の液側ヘッダ（51,56,61,66）へ分配される。各室内熱交換器（50,55,60,65）では、液側ヘッダ（51,56,61,66）へ流入した液冷媒が複数の伝熱管（53）へ分配される。各伝熱管（53）において、冷媒は、室内熱交換器（50,55,60,65）を通過する室内空気と熱交換しながら上向きに流れ、室内空気から吸熱して蒸発する。各室内熱交換器（50,55,60,65）では、各伝熱管（53）内で蒸発した冷媒がガス側ヘッダ（52,57,62,67）へ流入して合流する。各室内熱交換器（50,55,60,65）においてガス側ヘッダ（52,57,62,67）へ流入した冷媒は、集合配管（41）へ流入して合流する。
【００５０】
一方、本体容器（71）の上部に溜まったガス冷媒は、バイパス管（91）へ流入し、逆止弁（96）を通って第１室内熱交換器（50）のガス側ヘッダ（52）へ流入する。バイパス管（91）からガス側ヘッダ（52）へ流入したガス冷媒は、第１室内熱交換器（50）の伝熱管（53）を通過した冷媒と合流し、その後にガス側ヘッダ（52）から流出する。つまり、気液分離器（70）のガス冷媒は、バイパス管（91）を通って第１室内熱交換器（50）の実質的な下流側へ送られる。
【００５１】
集合配管（41）へ流入したガス冷媒は、ガス側連絡配管（16）を通って室外回路（21）へ流入し、四方切換弁（23）を通過して圧縮機（22）に吸入される。圧縮機（22）は、吸入した冷媒を圧縮して吐出する。
【００５２】
〈暖房運転〉
暖房運転時における空気調和装置（10）の動作について、図５を参照しながら説明する。
【００５３】
暖房運転時には、四方切換弁（23）が第２状態（図５に破線で示す状態）に設定され、膨張弁（25）の開度が適宜調節される。この状態で、冷媒回路（15）では冷媒が循環して冷凍サイクルが行われる。
【００５４】
冷媒回路（15）において、圧縮機（22）から吐出された冷媒は、四方切換弁（23）を通ってガス側連絡配管（16）へ流入し、その後に室内回路（40）の集合配管（41）を通って各室内熱交換器（50,55,60,65）のガス側ヘッダ（52,57,62,67）へ流入する。
【００５５】
各室内熱交換器（50,55,60,65）では、ガス側ヘッダ（52,57,62,67）へ流入した冷媒が複数の伝熱管（53）へ分配される。暖房運転時において、バイパス管（91）の逆止弁（96）は、冷媒の流通を阻止する閉状態となっている。このため、第１室内熱交換器（50）においても、バイパス管（91）へ冷媒は流入せず、ガス側ヘッダ（52）へ流入した冷媒の全部が伝熱管（53）へ分配される。
【００５６】
各伝熱管（53）において、冷媒は、室内熱交換器（50,55,60,65）を通過する室内空気と熱交換しながら下向きに流れ、室内空気へ放熱して凝縮する。各室内熱交換器（50,55,60,65）では、各伝熱管（53）内で凝縮した冷媒が液側ヘッダ（51,56,61,66）へ流入して合流する。各室内熱交換器（50,55,60,65）において液側ヘッダ（51,56,61,66）へ流入した冷媒は、合流して気液分離器（70）へ流入する。気液分離器（70）において、冷媒は、液側管（73）を通って本体容器（71）内へ流入し、接続管（72）を通って液側連絡配管（17）へ流入する。
【００５７】
その後、冷媒は、液側連絡配管（17）を通って室外回路（21）へ流入する。室外回路（21）へ流入した冷媒は、膨張弁（25）を通過する際に減圧されてから室外熱交換器（24）へ流入する。室外熱交換器（24）へ流入した冷媒は、室外空気から吸熱して蒸発し、その後に四方切換弁（23）を通って圧縮機（22）へ吸入される。圧縮機（22）は、吸入した冷媒を圧縮して吐出する。
【００５８】
〈室内ユニットの動作〉
冷房運転時や暖房運転時における室内ユニット（30）の動作について、図１〜図３を参照しながら説明する。
【００５９】
室内ファン（47）が回転すると、吸込口（35）へ室内空気が吸い込まれる。この室内空気は、エアフィルタ（45）を通過後にベルマウス（46）を通って室内ファン（47）へ流入し、室内ファン（47）から外周方向へ吹き出される。室内ファン（47）から吹き出された空気は、室内熱交換器（50,55,60,65）を内側から外側へ向かって通過する。室内熱交換器（50,55,60,65）において、空気は、冷媒と熱交換して冷却され又は加熱される。室内熱交換器（50,55,60,65）で冷媒と熱交換した空気は、空気通路（33）における室内熱交換器（50,55,60,65）の外側の部分へ流入し、流れの向きを変えて下方へ流れ、その後に吹出口（36）を通って室内へ吹き出される。
【００６０】
各室内熱交換器（50,55,60,65）では、上下方向に伸長する伝熱管（53）の内部を冷媒が流通する。本実施形態の冷媒回路（15）に充填されているＲ４０７Ｃには、気液二相状態であっても乾き度が高くなるにつれて（即ち、湿り度が低くなるにつれて）温度が上昇するという特性がある。このため、室内熱交換器（50,55,60,65）では、ガス側ヘッダ（52,57,62,67）に近い上側部分ほど温度が高く、液側ヘッダ（51,56,61,66）に近い下側部分ほど温度が低くなる。つまり、室内熱交換器（50,55,60,65）では、その温度変化の方向が上下方向となっている。一方、室内熱交換器（50,55,60,65）では、複数の伝熱管（53）が互いに平行に配置されており、各伝熱管（53）へ冷媒が概ね均等に分配される。このため、室内熱交換器（50,55,60,65）では、伝熱管（53）の配列方向（即ち、左右幅方向）の各部分の温度が概ね同じとなる。
【００６１】
このように、室内熱交換器（50,55,60,65）では、伝熱管（53）の伸長方向には温度分布が形成されるが、伝熱管（53）の配列方向の各部では温度が概ね等しくなる。その結果、室内熱交換器（50,55,60,65）の上側部分を通過した空気とその下側部分を通過した空気とは温度が相違するものの、室内熱交換器（50,55,60,65）の右側部分を通過した空気とその左側部分を通過した空気とは温度が概ね等しくなる。上述したように、空気通路（33）における室内熱交換器（50,55,60,65）の下流側では、空気の流れ方向が横向きから下向きへと変化する。このため、室内熱交換器（50,55,60,65）の上側部分を通過した空気とその下側部分を通過した空気とは、吹出口（36）へ至る前に混合される。従って、吹出口（36）から吹き出される空気の温度は、吹出口（36）の各部分において概ね等しくなる。
【００６２】
また、冷房運転時の室内熱交換器（50,55,60,65）では、空気中の水分が凝縮してドレン水となる。その際、室内熱交換器（50,55,60,65）では、その下側部分ほど低温となっているため、その下側部分ほどドレン水の発生量が多くなる。一方、ターボファンである室内ファン（47）から吹き出される空気の速度は、吸い込み側から離れた上側部分に比べて吸い込み側に近い下側部分の方が遅くなる。このため、室内熱交換器（50,55,60,65）を通過する空気の速度は、ドレン水の発生量が多い下側部分ほど遅くなる。従って、室内熱交換器（50,55,60,65）で生成したドレン水は、室内熱交換器（50,55,60,65）を通過する空気によって吹き飛ばされにくくなり、その殆どがドレンパン（49）へと流れ落ちてゆく。
【００６３】
−実施形態１の効果−
本実施形態の室内ユニット（30）において、各室内熱交換器（50,55,60,65）は、各伝熱管（53）の伸長方向が吹出口（36）の長手方向と概ね直交するように配置されている。また、各室内熱交換器（50,55,60,65）では、複数の伝熱管（53）が互いに平行に配置されている。このため、室内熱交換器（50,55,60,65）の上側部分を通過した空気とその下側部分を通過した空気とは温度が相違するものの、室内熱交換器（50,55,60,65）の右側部分を通過した空気とその左側部分を通過した空気とは温度が概ね等しくなる。
【００６４】
本実施形態の室内ユニット（30）において、室内熱交換器（50,55,60,65）の上側部分を通過した空気とその下側部分を通過した空気とは、吹出口（36）へ至る前に混合される。その結果、吹出口（36）から吹き出される空気の温度は、吹出口（36）の各部分において概ね等しくなる。従って、本実施形態によれば、冷媒として非共沸混合冷媒を用いる場合であっても、吹出口（36）から吹き出される空気の温度を平均化することができ、室内の快適性を確保することができる。
【００６５】
本実施形態の室内ユニット（30）において、室内熱交換器（50,55,60,65）の液側ヘッダ（51,56,61,66）は、室内ファン（47）か吹き出される空気の流速が比較的低くなる下側に位置している。つまり、この室内ユニット（30）では、蒸発器となる室内熱交換器（50,55,60,65）のうちドレン水の生成量が多くなる下側部分を通過する空気の速度が、比較的低くなる。このため、室内熱交換器（50,55,60,65）で発生したドレン水が室内熱交換器（50,55,60,65）を通過する空気と共に飛散する現象（いわゆる水飛び現象）を抑えることができ、その水飛び現象による快適性の低下を防ぐことができる。
【００６６】
また、本実施形態の室内ユニット（30）では、冷房運転時に室内ユニット（30）へ供給された冷媒を気液分離器（70）で液冷媒とガス冷媒に分離し、液冷媒だけを室内熱交換器（50,55,60,65）へ供給している。その結果、室内熱交換器（50,55,60,65）において複数の伝熱管（53）へ分配される冷媒は、液単相状態となる。このため、本実施形態によれば、複数の伝熱管（53）へ気液二相状態の冷媒を分配する場合に比べ、各伝熱管（53）へ流入する冷媒の流量を平均化することができ、室内熱交換器（50,55,60,65）の性能を充分に発揮させることができる。
【００６７】
また、冷房運転時の室内ユニット（30）では、気液分離器（70）のガス冷媒がバイパス管（91）を通って第１室内熱交換器（50）の実質的な下流側へ送られる。従って、本実施形態によれば、気液分離器（70）からガス冷媒を確実に排出でき、気液分離器（70）における液冷媒とガス冷媒の分離を確実に行うことが可能となる。
【００６８】
また、暖房運転時の室内ユニット（30）では、バイパス管（91）の逆止弁（96）が閉状態となるため、室内ユニット（30）へ供給された冷媒の全てが室内熱交換器（50,55,60,65）の伝熱管（53）へ流入する。従って、本実施形態によれば、室内熱交換器（50,55,60,65）に対する冷媒の供給量を充分に確保することができ、室内ユニット（30）の暖房能力を確実に発揮させることができる。
【００６９】
−実施形態１の変形例１−
本実施形態の室内ユニット（30）では、図６に示すように、各室内熱交換器（50,55,60,65）をやや傾斜した姿勢で設置してもよい。本変形例の室内ユニット（30）において、各室内熱交換器（50,55,60,65）は、ケーシング本体（32）の外側へ向かって傾斜した姿勢で設置されており、液側ヘッダ（51,56,61,66）よりもガス側ヘッダ（52,57,62,67）の方がケーシング本体（32）の側板寄りに位置している。このように室内熱交換器（50,55,60,65）が傾斜していると、室内熱交換器（50,55,60,65）の上部で生成したドレン水が排出されやすくなる。このため、室内熱交換器（50,55,60,65）で発生したドレン水が室内熱交換器（50,55,60,65）を通過する空気と共に飛散する現象（いわゆる水飛び現象）が、一層確実に抑制される。
【００７０】
−実施形態１の変形例２−
本実施形態の室内ユニット（30）では、図７に示すように、冷房運転時における各室内熱交換器（50,55,60,65）の上流側に、気液分離器（70,75,80,85）を１つずつ設置してもよい。
【００７１】
本変形例の室内回路（40）では、液側連絡配管（17）に接続する一端からガス側連絡配管（16）に接続する他端へ向かって順に、気液分離器（70,75,80,85）と室内熱交換器（50,55,60,65）が交互に１つずつ接続されている。なお、各気液分離器（70,75,80,85）の構成は、上記実施形態１のものと同様である。また、本変形例の室内回路（40）には、４つのバイパス管（91,92,93,94）が設けられる。各バイパス管（91,92,93,94）は、対応する気液分離器（70,75,80,85）と室内熱交換器（50,55,60,65）を接続すると共に、気液分離器（70,75,80,85）から室内熱交換器（50,55,60,65）へ向かう冷媒の流通だけを許容する逆止弁（96,97,98,99）を１つずつ備えている。
【００７２】
室内回路（40）において、第１気液分離器（70）は、その接続管（72）が液側連絡配管（17）と連通し、その液側管（73）が第１室内熱交換器（50）の液側ヘッダ（51）に接続され、そのガス側管（74）が第１バイパス管（91）を介して第１室内熱交換器（50）のガス側ヘッダ（52）に接続されている。第１室内熱交換器（50）のガス側ヘッダ（52）は、第２室内熱交換器（55）のガス側ヘッダ（57）に接続されている。
【００７３】
また、第２気液分離器（75）は、その接続管（77）が第１室内熱交換器（50）の液側ヘッダ（51）に接続され、その液側管（78）が第２室内熱交換器（55）の液側ヘッダ（56）に接続され、そのガス側管（79）が第２バイパス管（92）を介して第２室内熱交換器（55）のガス側ヘッダ（57）に接続されている。第２室内熱交換器（55）のガス側ヘッダ（57）は、第３室内熱交換器（60）のガス側ヘッダ（62）に接続されている。
【００７４】
また、第３気液分離器（80）は、その接続管（82）が第２室内熱交換器（55）の液側ヘッダ（56）に接続され、その液側管（83）が第３室内熱交換器（60）の液側ヘッダ（61）に接続され、そのガス側管（84）が第３バイパス管（93）を介して第３室内熱交換器（60）のガス側ヘッダ（62）に接続されている。第３室内熱交換器（60）のガス側ヘッダ（62）は、第４室内熱交換器（65）のガス側ヘッダ（67）に接続されている。
【００７５】
また、第４気液分離器（85）は、その接続管（87）が第３室内熱交換器（60）の液側ヘッダ（61）に接続され、その液側管（88）が第４室内熱交換器（65）の液側ヘッダ（66）に接続され、そのガス側管（89）が第４バイパス管（94）を介して第４室内熱交換器（65）のガス側ヘッダ（67）に接続されている。第４室内熱交換器（65）のガス側ヘッダ（67）は、ガス側連絡配管（16）に連通している。
【００７６】
冷房運転時に液側連絡配管（17）から室内回路（40）へ供給された冷媒は、最初に第１気液分離器（70）の本体容器（71）へ流入する。第１気液分離器（70）において、本体容器（71）内のガス冷媒は、第１室内熱交換器（50）のガス側ヘッダ（52）へ流入する。本体容器（71）内の液冷媒は、第１室内熱交換器（50）の液側ヘッダ（51）へ流入し、その一部が伝熱管（53）へ分配され、残りが第２気液分離器（75）の本体容器（76）へ流入する。
【００７７】
第２気液分離器（75）において、本体容器（76）内のガス冷媒は、第１室内熱交換器（50）で蒸発した冷媒と共に第２室内熱交換器（55）のガス側ヘッダ（57）へ流入する。本体容器（76）内の液冷媒は、第２室内熱交換器（55）の液側ヘッダ（56）へ流入し、その一部が伝熱管（53）へ分配され、残りが第３気液分離器（80）の本体容器（81）へ流入する。
【００７８】
第３気液分離器（80）において、本体容器（81）内のガス冷媒は、第２室内熱交換器（55）で蒸発した冷媒と共に第３室内熱交換器（60）のガス側ヘッダ（62）へ流入する。本体容器（81）内の液冷媒は、第３室内熱交換器（60）の液側ヘッダ（61）へ流入し、その一部が伝熱管（53）へ分配され、残りが第４気液分離器（85）の本体容器（86）へ流入する。
【００７９】
第４気液分離器（85）において、本体容器（86）内のガス冷媒は、第３室内熱交換器（60）で蒸発した冷媒と共に第４室内熱交換器（65）のガス側ヘッダ（67）へ流入する。本体容器（86）内の液冷媒は、第４室内熱交換器（65）の液側ヘッダ（66）へ流入し、その全部が伝熱管（53）へ分配される。第４室内熱交換器（65）で蒸発した冷媒は、ガス側ヘッダ（67）へ流入し、第１〜第３室内熱交換器（50,55,60）で蒸発した冷媒と合流後にガス側連絡配管（16）へ送られる。
【００８０】
暖房運転時にガス側連絡配管（16）から室内回路（40）へ供給された冷媒は、各室内熱交換器（50,55,60,65）のガス側ヘッダ（52,57,62,67）に分配される。各室内熱交換器（50,55,60,65）において、ガス側ヘッダ（52,57,62,67）へ流入したガス冷媒は、複数の伝熱管（53）へ分配され、室内空気へ放熱して凝縮し、その後に液側ヘッダ（51,56,61,66）へ流入する。各室内熱交換器（50,55,60,65）の液側ヘッダ（51,56,61,66）へ流入した冷媒は、第１気液分離器（70）の本体容器（71）へ流入し、その後に液側連絡配管（17）へ送り出される。
【００８１】
《発明の実施形態２》
本発明の実施形態２について説明する。本実施形態は、上記実施形態１において、室内ユニット（30）の構成を変更したものである。ここでは、本実施形態の室内ユニット（30）について説明する。
【００８２】
図８，図９に示すように、本実施形態の室内ユニット（30）は、いわゆる壁掛け設置型に構成されている。室内ユニット（30）のケーシング（31）は、横長の箱状に形成されている。ケーシング（31）には、その前面における上下方向の中央部からその上面の前端部分にかけて吸込口（35）が開口している。また、ケーシング（31）には、その前面における下部に横長の長方形状に形成された吹出口（36）が開口している。ケーシング（31）の内部空間は、吸込口（35）から吹出口（36）へ至る空気通路（33）となっている。
【００８３】
ケーシング（31）内の空気通路（33）には、吸込口（35）から吹出口（36）へ向かって順に、エアフィルタ（45）と室内熱交換器（50）と室内ファン（47）とが１つずつ設置されている（図８を参照）。エアフィルタ（45）は、吸込口（35）の内面に沿って配置されている。室内熱交換器（50）は、上記実施形態１と同様のパラレルフロー型の熱交換器であって、その上部にガス側ヘッダ（52）が、その下部に液側ヘッダ（51）がそれぞれ設置されている。この室内熱交換器（50）は、ケーシング（31）内における前方かつ上方寄りの位置に、やや後方に傾斜した姿勢で設置されている。室内ファン（47）は、いわゆるクロスフローファンであって、ケーシング（31）の長手方向へ延びる円筒状に形成されている。この室内ファン（47）は、ケーシング（31）内における後方かつ下方寄りの位置に設置されている。
【００８４】
また、ケーシング（31）内には、室内熱交換器（50）の下端部を下方から覆うようにドレンパン（49）が設けられている。このドレンパン（49）は、その後部が室内ファン（47）の外周面に近接して舌部を構成している。
【００８５】
本実施形態の室内ユニット（30）において、室内熱交換器（50）は、その長手方向が吹出口（36）の長手方向と平行になる姿勢で設置されている。室内熱交換器（50）では、伝熱管（53）の伸長方向が概ね上下方向となっており、その伝熱管（53）内を冷媒が流れる。一方、ケーシング（31）では、吹出口（36）の長手方向が概ね水平方向となっている。従って、本実施形態の室内ユニット（30）では、室内熱交換器（50）における伝熱管（53）の伸長方向や冷媒の流通方向が、吹出口（36）の長手方向に対して概ね直交している。
【００８６】
また、本実施形態の室内熱交換器（50）では、上記実施形態１と同様に、伝熱管（53）の伸長方向には温度分布が形成されるが、伝熱管（53）の配列方向の各部では温度が概ね等しくなる。従って、上記実施形態１と同様に、本実施形態の室内熱交換器（50）においても、温度分布の方向が吹出口（36）の長手方向と概ね直交している。
【００８７】
冷房運転時や暖房運転時の室内ユニット（30）では、室内ファン（47）が回転駆動され、吸込口（35）を通って室内空気がケーシング（31）内の空気通路（33）へ吸い込まれる。空気通路（33）へ流入した空気は、室内熱交換器（50）を通過する際に冷媒と熱交換する。室内熱交換器（50）を通過した空気は、その流れ方向が後ろ向きから下向きへと変化する。そして、この空気は、室内ファン（47）を通過して吹出口（36）から室内へ吹き出される。
【００８８】
本実施形態の室内ユニット（30）では、上記実施形態１と同様に、室内熱交換器（50）の上側部分を通過した空気とその下側部分を通過した空気とは温度が相違するものの、室内熱交換器（50）の右側部分を通過した空気とその左側部分を通過した空気とは温度が概ね等しくなる。一方、空気通路（33）における室内熱交換器（50）の下流側では、空気の流れ方向が後ろ向きから下向きへと変化する。このため、室内熱交換器（50）の上側部分を通過した空気とその下側部分を通過した空気とは、吹出口（36）へ至る前に混合される。従って、吹出口（36）から吹き出される空気の温度は、吹出口（36）の各部分において概ね等しくなる。
【００８９】
また、冷房運転時の室内熱交換器（50）では、空気中の水分が凝縮してドレン水となる。その際、室内熱交換器（50）では、その下側部分ほど低温となっているため、その下側部分ほどドレン水の発生量が多くなる。一方、室内熱交換器（50）の下側部分の背面側には、舌部を構成するドレンパン（49）の後端部分が存在する。このため、室内熱交換器（50）を通過する空気の速度は、ドレン水の発生量が多い下側部分ほど遅くなる。従って、室内熱交換器（50）で生成したドレン水は、室内熱交換器（50）を通過する空気によって吹き飛ばされにくくなり、その殆どがドレンパン（49）へと流れ落ちてゆく。
【００９０】
《発明の実施形態３》
本発明の実施形態３について説明する。本実施形態は、上記実施形態１において、室内ユニット（30）の構成を変更したものである。ここでは、本実施形態の室内ユニット（30）について説明する。
【００９１】
図１０，図１１に示すように、本実施形態の室内ユニット（30）は、いわゆる天井吊り下げ設置型に構成されている。室内ユニット（30）のケーシング（31）は、横長の扁平な箱状に形成されている。ケーシング（31）には、その下面における背面寄りに吸込口（35）が開口している。また、ケーシング（31）には、その前面に横長の長方形状に形成された吹出口（36）が開口している。ケーシング（31）の内部空間は、吸込口（35）から吹出口（36）へ至る空気通路（33）となっている。
【００９２】
ケーシング（31）内の空気通路（33）には、吸込口（35）から吹出口（36）へ向かって順に、エアフィルタ（45）と室内熱交換器（50）と室内ファン（47）とが１つずつ設置されている（図１０を参照）。エアフィルタ（45）は、吸込口（35）に沿って配置されている。室内熱交換器（50）は、上記実施形態１と同様のパラレルフロー型の熱交換器であって、その上部にガス側ヘッダ（52）が、その下部に液側ヘッダ（51）がそれぞれ設置されている。この室内熱交換器（50）は、ケーシング（31）内の前後方向における中央部に、前方に傾斜した姿勢で設置されている。室内ファン（47）は、いわゆるクロスフローファンであって、ケーシング（31）の長手方向へ延びる円筒状に形成されている。この室内ファン（47）は、ケーシング（31）内における前面寄りに設置されている。また、ケーシング（31）内には、傾斜した室内熱交換器（50）の下方にドレンパン（49）が設けられている。
【００９３】
本実施形態の室内ユニット（30）において、室内熱交換器（50）は、その長手方向が吹出口（36）の長手方向と平行になる姿勢で設置されている。室内熱交換器（50）では、伝熱管（53）の伸長方向が斜め上方向あるいは斜め下方向となっており、その伝熱管（53）内を冷媒が流れる。一方、ケーシング（31）では、吹出口（36）の長手方向が概ね水平方向となっている。従って、本実施形態の室内ユニット（30）では、室内熱交換器（50）における伝熱管（53）の伸長方向や冷媒の流通方向が、吹出口（36）の長手方向に対して概ね直交している。
【００９４】
また、本実施形態の室内熱交換器（50）では、上記実施形態１と同様に、伝熱管（53）の伸長方向には温度分布が形成されるが、伝熱管（53）の配列方向の各部では温度が概ね等しくなる。従って、上記実施形態１と同様に、本実施形態の室内熱交換器（50）においても、温度分布の方向が吹出口（36）の長手方向と概ね直交している。
【００９５】
冷房運転時や暖房運転時の室内ユニット（30）では、室内ファン（47）が回転駆動され、吸込口（35）を通って室内空気がケーシング（31）内の空気通路（33）へ吸い込まれる。空気通路（33）へ流入した空気は、室内熱交換器（50）を通過する際に冷媒と熱交換する。室内熱交換器（50）を通過した空気は、室内ファン（47）を通過して吹出口（36）から室内へ吹き出される。
【００９６】
本実施形態の室内ユニット（30）では、上記実施形態１と同様に、室内熱交換器（50）の上側部分を通過した空気とその下側部分を通過した空気とは温度が相違するものの、室内熱交換器（50）の右側部分を通過した空気とその左側部分を通過した空気とは温度が概ね等しくなる。一方、空気通路（33）では、室内熱交換器（50）を通過した空気が、室内ファン（47）を通過する際に撹拌される。このため、室内熱交換器（50）の上側部分を通過した空気とその下側部分を通過した空気とは、吹出口（36）へ至る前に混合される。従って、吹出口（36）から吹き出される空気の温度は、吹出口（36）の各部分において概ね等しくなる。
【００９７】
なお、以上の実施形態は、本質的に好ましい例示であって、本発明、その適用物、あるいはその用途の範囲を制限することを意図するものではない。
【産業上の利用可能性】
【００９８】
以上説明したように、本発明は、非共沸混合冷媒を用いる空気調和装置（10）の室内ユニット（30）について有用である。
【図面の簡単な説明】
【００９９】
【図１】実施形態１の室内ユニットの概略構成を示す斜視図である。
【図２】実施形態１の室内ユニットの概略構成を示す縦断面図である。
【図３】実施形態１の室内ユニットの概略構成を示す横断面図である。
【図４】室内熱交換器の概略構成を示す斜視図である。
【図５】実施形態１の室内ユニットを備える空気調和装置の構成を示す冷媒回路図である。
【図６】実施形態１の変形例１の室内ユニットの概略構成を示す縦断面図である。
【図７】実施形態１の変形例２の室内回路の概略構成を示す冷媒回路図である。
【図８】実施形態２の室内ユニットの概略構成を示す横断面図である。
【図９】実施形態２の室内ユニットをその一部を省略して示す概略の正面図である。
【図１０】実施形態３の室内ユニットの概略構成を示す横断面図である。
【図１１】実施形態３の室内ユニットをその一部を省略して示す概略の正面図である。
【符号の説明】
【０１００】
15    冷媒回路
30    室内ユニット
31    ケーシング
33    空気通路
35    吸込口
36    吹出口
50    第１室内熱交換器、室内熱交換器（空気熱交換器）
53    冷媒流通路
55    第２室内熱交換器（空気熱交換器）
60    第３室内熱交換器（空気熱交換器）
65    第４室内熱交換器（空気熱交換器）
70    第１気液分離器、気液分離器
75    第２気液分離器
80    第３気液分離器
85    第４気液分離器
91    第１バイパス管、バイパス管（バイパス通路）
92    第２バイパス管（バイパス通路）
93    第３バイパス管（バイパス通路）
94    第４バイパス管（バイパス通路）
96    逆止弁（流通規制機構）
97    逆止弁（流通規制機構）
98    逆止弁（流通規制機構）
99    逆止弁（流通規制機構）
【図１】
2008256305.tif 000003
【図２】
2008256305.tif 000004
【図３】
2008256305.tif 000005
【図４】
2008256305.tif 000006
【図５】
2008256305.tif 000007
【図６】
2008256305.tif 000008
【図７】
2008256305.tif 000009
【図８】
2008256305.tif 000010
【図９】
2008256305.tif 000011
【図１０】
2008256305.tif 000012
【図１１】
2008256305.tif 000013